(57)【特許請求の範囲】
【請求項１】
道路走行中の車を検知する第一の車検知器と、出口より退出する車を検知する第二の車検知器と、宣伝表示と出車表示と停車表示とを選択的に表示する表示手段と、第一第二の車検知器からの信号を受けて表示手段へ表示信号を出力する制御装置とを具備し、
前記表示手段はロボットであり、ロボットの腕には旗が取り付けられ、前記宣伝表示及び出車表示は腕を道路側へ向けて旗を振る表示であり、前記停車表示は腕を出口側へ向けて旗を振る表示であり、前記ロボットの上部には赤と青の回転表示灯が設けられ、前記宣伝表示は赤と青の回転表示灯を作動する表示であり、前記出車表示及び停車表示は赤の回転表示灯を作動する表示であり、
制御装置は第二の車検知器の車非検知信号を受けて宣伝表示信号を出力し、第一の車検知器の車非検知信号と第二の車検知器の車検知信号とを受けて出車表示信号を出力し、第一の車検知器の車検知信号と第二の車検知器の車検知信号とを受けて停車表示信号を出力することを特徴とする表示装置。
【発明の詳細な説明】
【０００１】
【発明の属する技術分野】
本発明は、給油所又は駐車場のように車が出入りする場所に設置するもので、特に車の出口の所に設置する表示装置の改良に関するものである。
【０００２】
【従来の技術】
給油所又は駐車場の出口に設置され、退出する車があることを道路を走行中の車へ知らせる表示装置として、特開平２ー２６６４９８号が知られている。また、道路を走行中の車があることを退出する車へ知らせる表示装置として、特開昭６２ー２８６８６５号が知られている。これらの表示装置は、退出する車があるときだけ作動し、退出する車がないときは無用なものである。
【０００３】
【発明が解決しようとする課題】
そこで本発明は、退出する車があるときは退出する車の安全を確保し、退出する車がないときは道路を走行中の車に宣伝をし、機能を高めた表示装置を得ることである。
【０００４】
【課題を解決するための手段】
上記目的を達成するために、本発明の表示装置は、道路走行中の車を検知する第一の車検知器と、出口より退出する車を検知する第二の車検知器と、宣伝表示と出車表示と停車表示とを選択的に表示する表示手段と、第一第二の車検知器からの信号を受けて表示手段へ表示信号を出力する制御装置とを具備し、前記表示手段はロボットであり、ロボットの腕には旗が取り付けられ、前記宣伝表示及び出車表示は腕を道路側へ向けて旗を振る表示であり、前記停車表示は腕を出口側へ向けて旗を振る表示であり、前記ロボットの上部には赤と青の回転表示灯が設けられ、前記宣伝表示は赤と青の回転表示灯を作動する表示であり、前記出車表示及び停車表示は赤の回転表示灯を作動する表示であり、制御装置は第二の車検知器の車非検知信号を受けて宣伝表示信号を出力し、第一の車検知器の車非検知信号と第二の車検知器の車検知信号とを受けて出車表示信号を出力し、第一の車検知器の車検知信号と第二の車検知器の車検知信号とを受けて停車表示信号を出力することを要旨とするものである。
【０００５】
本発明によれば、前記表示手段はロボットであり、ロボットの腕には旗が取り付けられ、前記宣伝表示及び出車表示は腕を道路側へ向けて旗を振る表示であり、前記停車表示は腕を出口側へ向けて旗を振る表示であるので、あたかも人が旗を振っているように見えて表示効果が高くなる。
【０００６】
また、前記ロボットの上部には赤と青の回転表示灯が設けられ、前記宣伝表示は赤と青の回転表示灯を作動する表示であり、前記出車表示及び停車表示は赤の回転表示灯を作動する表示であるので、車の運転者へ顕示され表示効果が大となる。
【０００７】
【発明の実施の形態】
以下、本発明の実施の形態を、図に基づいて説明する。図１に示すように、表示装置１は遠くからでも目立つように人の形をしたロボットで、キャスタ２を設けた台板３の上に設けられている。ロボットの胴は回動自在に下胴４と上胴５に２分され、下胴４に設けられた脚６は台板３に固定されている。そして、ロボットの２本の腕７は上胴５に揺動自在に取り付けられ、それぞれの腕７は旗８が取り付けられている。また、上胴５の上端に設けられた頭９には赤と青の回転表示灯１０、１１が取り付けられている。
【０００８】
図２、３に示すように、下胴４の中央には支軸１２が植設され、この支軸１２は上胴５の中央に設けられた軸受け１３に挿入され、支軸１２の上端には歯車１４が設けられている。そして、上胴５内にはモータ１５設けられ、このモータ１５の回転軸に設けられた歯車１６が歯車１４に噛み合っている。
【０００９】
図４、５に示すように、上胴５には支軸１７が植設され、この支軸１７は腕７の後端部に設けられた軸受け１８に挿入され、腕７の後端にはピン１９が植設されている。上胴５内にはモータ２０が設けられ、このモータ２０の回転軸には円板２１が設けられ、円板２１の縁にはピン２２が植設されている。そして、腕７の後端のピン１９と円板２１の縁のピン２２とはクランク２３により連結されている。
【００１０】
ロボットの頭９に設けられている、赤と青の回転表示灯１０、１１は、固定されているランプの回りを反射鏡が回転するもので、緊急自動車の頭部や駐車場の出口に取り付けられている市販の回転表示灯が使用されている。
【００１１】
上述した各機器１０、１１、１５、２０は上胴５内に設けられた制御装置２４に接続され、制御装置２４は電線２５により商用電源へ接続され、スイッチ２６により起動されるようになっている。
【００１２】
図７に示すように、給油所Ｓの入り口Ｙには、給油所Ｓの前の道路Ｒを給油所Ｓの方向へ向かって走行してくる車を検知する第一の車検知器２７が設けられ、給油所Ｓの出口Ｚには、給油所Ｓから退出する車を検知する第二の車検知器２８が設けられている。そして、これらの車検知器２７、２８は上述した制御装置２２に接続されている。
【００１３】
次に図６のフロー図に基づいて動作を説明する。表示装置１を給油所Ｓの出口Ｚに置き、電線２５を商用電源へ接続し、スイッチ２６を入れると（ＳＴ１）、制御装置２４からモータ２０と回転表示灯１０、１１へ作動信号が出力される（ＳＴ２）。制御装置２４からの作動信号によりモータ２０は回転し、モータ２０の回転は円板２１及びクランク２３を介して揺動運動として腕７に伝わり、腕７の先端に取り付けられている旗８は大きく振られる。そして、制御装置２４からの作動信号により赤と青の回転表示灯１０、１１は作動し、赤と青の光が点滅する。
【００１４】
このように、給油所Ｓから退出する車がない通常時には、表示装置１は道路Ｒを走行中の車に宣伝表示をし、機能を高めている。
【００１５】
給油所Ｓから退出する車があり、制御装置２４に第二の車検知器２８から車検知信号が入力し（ＳＴ３）、この時に道路Ｒを給油所Ｓの方向へ向かって走行してくる車があり、制御装置２４に第一の車検知器２７から車検知信号が入力しているときは（ＳＴ４）、制御装置２４からモータ１５へ作動信号が出力され、回転表示灯１１への作動信号が停止する（ＳＴ５）。制御装置２４からの作動信号によりモータ１５は正転し、モータ１５の回転軸に設けられた歯車１６が下胴４に設けられた歯車１４に噛み合うことにより、上胴５は回動する。そして、道路Ｒ側を向いた位置から出口Ｚ側を向いた位置まで、約９０度だけ回動して止まる。また、制御装置２４からの回転表示灯１１への作動信号は停止し、青の回転表示灯１１の作動は停止して赤色の回転表示灯１０の作動だけとなる。
【００１６】
このように、給油所Ｓから車が退出するときに、道路Ｒを給油所Ｓの方向へ向かって走行してくる車がある場合は、表示装置１は停車表示をし、給油所Ｓから退出する車の安全を確保している。
【００１７】
そして、車が給油所Ｓの前を通過して、制御装置２４に入力していた第一の車検知器２７から車検知信号がなくなると（ＳＴ６）、制御装置２４からモータ１５へ作動信号が出力される（ＳＴ７）。制御装置２４からの作動信号によりモータ１５は逆転し、上胴５は逆方向へ回動する。そして、出口Ｚ側を向いた位置から道路Ｒ側を向いた位置まで、約９０度だけ逆方向へ回動して止まる。これにより車は給油所Ｓから退出する。
【００１８】
このように、給油所Ｓから退出する車があり、道路Ｒを給油所Ｓの方向へ向かって走行してくる車が通過した後は、表示装置１は出車表示をし、新たに道路Ｒを走行してきた車へ、退出する車があることを知らせ、給油所Ｓから退出する車の安全を確保している。
【００１９】
給油所Ｓから車が退出し、制御装置２４に入力していた第二の車検知器２８から車検知信号がなくなると（ＳＴ８）、制御装置２４から青色の回転表示灯１１へ作動信号が出力される（ＳＴ９）。そして、青色の回転表示灯１１は再び作動して、表示装置１は宣伝表示となる。
【００２０】
また、給油所Ｓから退出する車があり、制御装置２４に第二の車検知器２８から車検知信号が入力したときに（ＳＴ３）、道路Ｒを給油所Ｓの方向へ向かって走行してくる車がなく、制御装置２４に第一の車検知器２７から車検知信号が入力していない場合は（ＳＴ４）、制御装置２４は回転表示灯１１への作動信号を停止する（ＳＴ１０）。
【００２１】
このように、給油所Ｓから車が退出するときに、道路Ｒを給油所Ｓの方向へ向かって走行してくる車がない場合は、表示装置１は直ちに出車表示をし、新たに道路Ｒを走行してきた車へ、退出する車があることを知らせ、給油所Ｓから退出する車の安全を確保している。
【００２２】
【発明の効果】
以上説明したように本発明の表示装置は、道路走行中の車を検知する第一の車検知器と、出口より退出する車を検知する第二の車検知器と、宣伝表示と出車表示と停車表示とを選択的に表示する表示手段と、第一第二の車検知器からの信号を受けて表示手段へ表示信号を出力する制御装置とを具備し、制御装置は第二の車検知器の車非検知信号を受けて宣伝表示信号を出力し、第一の車検知器の車非検知信号と第二の車検知器の車検知信号とを受けて出車表示信号を出力し、第一の車検知器の車検知信号と第二の車検知器の車検知信号とを受けて停車表示信号を出力するので、出口より退出する車がある場合は、退出する車の安全のための表示をし、退出する車がない場合は、道路を走行中の車に宣伝表示をし、表示装置の機能を高めることができる。
【図面の簡単な説明】
【図１】  本発明の表示装置の斜視図である。
【図２】  本発明の表示装置の胴の部分の断面図である。
【図３】  図２のＡ−Ａ矢視図である。
【図４】  本発明の表示装置の腕の部分の断面図である。
【図５】  図４のＢ−Ｂ矢視図である。
【図６】  制御装置のフロー図である。
【図７】  本発明の表示装置を設置した給油所の平面図である。
【符号の説明】
１  表示装置
２  キャスタ
３  台板
４  下胴
５  上胴
６  脚
７  腕
８  旗
９  頭
１０、１１  回転表示灯
１２、１７  支軸
１３、１８  軸受け
１４、１６  歯車
１５、２０  モータ
１９、２２  ピン
２１  円板
２３  クランク
２４  制御装置
２５  電線
２６  スイッチ
【図１】
0003823454.tif 000002
【図２】
0003823454.tif 000003
【図３】
0003823454.tif 000004
【図４】
0003823454.tif 000005
【図５】
0003823454.tif 000006
【図６】
0003823454.tif 000007
【図７】
0003823454.tif 000008